(57)【特許請求の範囲】
【請求項１】
調理台の被嵌合部に嵌め込まれる調理器とその周囲とを区画する調理器用ガードを固定する調理器用ガード固定装置において、
前記調理器用ガードは、前記調理器と前記調理台の被嵌合部との間に挟み込まれた状態で保持され、
前記調理台の被嵌合部は、前記調理器の一部が埋設される穴であって、
前記調理器用ガードは、下端部が前記調理台の穴の周縁と前記調理器との間に挟み込まれて保持され、
前記調理器は、前記調理台の穴内に嵌め込まれる被嵌込み部、およびこの被嵌込み部の上端側よりも周囲に広げられた鍔状部を有し、
前記調理器用ガードは、前記調理器の周囲を囲むガード部、およびこのガード部の下端より水平方向に延長され、前記調理器の鍔状部と前記調理台の穴の周囲の上端面との間に挟み込まれて保持される第１被挟持部を有することを特徴とする調理器用ガード固定装置。
【請求項２】
請求項１に記載の調理器用ガード固定装置において、
前記調理器用ガードは、前記第１被挟持部の先端より垂下され、前記調理器の被嵌込み部と前記調理台の穴の周囲の側壁面との間に挟み込まれて保持される第２被挟持部を有することを特徴とする調理器用ガード固定装置。
【請求項３】
請求項１または請求項２に記載の調理器用ガード固定装置において、
前記調理器用ガードの第１被挟持部は、前記調理台の穴内に煮汁等の異物の侵入を防止する突条部を有することを特徴とする調理器用ガード固定装置。
【請求項４】
請求項１または請求項２に記載の調理器用ガード固定装置において、
前記調理器用ガードの第１被挟持部は、前記調理台の穴内に煮汁等の異物の侵入を防止する樋状部を有することを特徴とする調理器用ガード固定装置。
【請求項５】
請求項１ないし請求項４のいずれかに記載の調理器用ガード固定装置において、
前記調理器用ガードは、前記調理器にねじ、ボルトまたはナット等の締付け具を用いて締め付け固定されることを特徴とする調理器用ガード固定装置。
【請求項６】
請求項１ないし請求項４のいずれかに記載の調理器用ガード固定装置において、
前記調理器は、穴部、凹部、爪部または凸部等の係合部を有し、
前記調理器用ガードは、前記係合部に係合される被係合部を有することを特徴とする調理器用ガード固定装置。
【請求項７】
請求項１ないし請求項６のいずれかに記載の調理器用ガード固定装置において、
前記調理器用ガードは、前記調理器の側方を覆う調理器用サイドガード、あるいは前記調理器の後方を覆う調理器用バックガードであることを特徴とする調理器用ガード固定装置。
【発明の詳細な説明】
【０００１】
【発明の属する技術分野】
この発明は、調理器用ガードを調理器に確実に固定するようにした調理器用ガード固定装置に関するもので、特にシステムキッチンに組み込まれる調理器用サイドガードおよび調理器用バックガードを調理器に固定する調理器用ガード固定装置に係わる。
【０００２】
【従来の技術】
近年、カウンタートップの好きなところに略方形状の穴を開けて、その穴内に所定の数のバーナを持つ組立てコンロを嵌め込むようにしたシステムキッチンを、台所の壁面に沿って例えば一文字状またはＬ字状に配置したキッチンレイアウトが多く見られる。
【０００３】
【発明が解決しようとする課題】
ところが、組立てコンロの後方の壁面や側方の壁面は、調理時に煮汁や油等が飛散して常に汚れの対象になると共に、万一の時の耐火の向上に役立っていない。そこで、市販のアルミガードを組立てコンロの周囲に置いて煮汁や油等の異物の飛散や排気熱や燃焼炎からの耐火性能の向上にある程度寄与しているが、アルミガードはただ置いてあるだけであるため、アルミガード等の安定性や見栄えが悪いという問題が生じている。
【０００４】
実公平１−３４０１７号公報においては、調理器に弾性クリップ状の取付部材を取り付けて、その取付部材に調理器用ガードを差し込むことにより調理器用ガードを調理器本体に固定するようにした調理器用ガード固定装置（第１従来例）が提案されている。
【０００５】
また、実開平２−３０８１５号公報においては、調理器の側壁に切起し部を一体成形して、その切起し部に調理器用ガードの差し込み片を差し込むことにより調理器用ガードを調理器に固定するようにした調理器用ガード固定装置（第２従来例）も提案されている。
【０００６】
これらの第１、第２従来例では、調理器自体に専用の調理器用ガードを取り付けているものであるため、カウンタートップの穴に嵌め込むことが可能な同一寸法の組立てコンロを使用する場合でも、専用の調理器用ガードを買い直す必要があり、コスト高となるという問題が生じていた。また、専用の調理器用ガードを持たない調理器に交換した場合には、前述のような安定性や見栄えの悪いアルミガードを使用するしか方法がなかった。
【０００７】
【発明の目的】
この発明の目的は、安定性や見栄えに優れ、異なる調理器にも使用できる汎用性の高い調理器用ガード固定装置を提供することにある。また、調理器の周囲の汚れや耐火性能の向上に有効に対処することのできる調理器用ガード固定装置を提供することにある。
【０００９】
【課題を解決するための手段】
請求項１に記載の発明は、調理台の被嵌合部に嵌め込まれる調理器とその周囲とを区画する調理器用ガードを固定する調理器用ガード固定装置おいて、
前記調理器用ガードは、前記調理器と前記調理台の被嵌合部との間に挟み込まれた状態で保持され、
前記調理台の被嵌合部は、前記調理器の一部が埋設される穴であって、
前記調理器用ガードは、下端部が前記調理台の穴の周縁と前記調理器との間に挟み込まれて保持され、
前記調理器は、前記調理台の穴内に嵌め込まれる被嵌込み部、およびこの被嵌込み部の上端側よりも周囲に広げられた鍔状部を有し、
前記調理器用ガードは、前記調理器の周囲を囲むガード部、およびこのガード部の下端より水平方向に延長され、前記調理器の鍔状部と前記調理台の穴の周囲の上端面との間に挟み込まれて保持される第１被挟持部を有する技術手段を採用した。
【００１２】
請求項２に記載の発明は、請求項１に記載の調理器用ガード固定装置に加えて、前記調理器は、前記第１被挟持部の先端より垂下され、前記調理器の被嵌込み部と前記調理台の穴の周囲の側壁面との間に挟み込まれて保持される第２被挟持部を有することを特徴とする。
【００１３】
請求項３に記載の発明は、請求項１または請求項２に記載の調理器用ガード固定装置に加えて、前記調理器用ガードの第１被挟持部に、前記調理台の穴内に煮汁等の異物の侵入を防止する突条部を設けたことを特徴とする。
請求項４に記載の発明は、請求項１または請求項２に記載の調理器用ガード固定装置に加えて、前記調理器用ガードの第１被挟持部に、前記調理台の穴内に煮汁等の異物の侵入を防止する樋状部を設けたことを特徴とする。
【００１４】
請求項５に記載の発明は、請求項１ないし請求項４のいずれかに記載の調理器用ガード固定装置に加えて、前記調理器用ガードは、前記調理器にねじ、ボルトまたはナット等の締付け具を用いて締め付け固定されることを特徴とする。
請求項６に記載の発明は、請求項１ないし請求項４のいずれかに記載の調理器用ガード固定装置に加えて、前記調理器に、穴部、凹部、爪部または凸部等の係合部を設け、前記調理器用ガードに、前記係合部に係合される被係合部を設けたことを特徴とする。
【００１５】
請求項７に記載の発明は、請求項１ないし請求項６のいずれかに記載の調理器用ガード固定装置に加えて、前記調理器用ガードを、前記調理器の側方を覆う調理器用サイドガード、あるいは前記調理器の後方を覆う調理器用バックガードに利用することを特徴とする。
【００１７】
【作用および発明の効果】
請求項１に記載の発明によれば、調理器と調理台の被嵌合部との間に調理器用ガードを挟み込んだ状態で調理器用ガードを保持することにより、調理器用ガードを取り付ける専用の取付機構を調理器に設けなくても、調理器用ガードを確実に固定できる。このため、調理器用ガードを確実に安定させることができ、且つ調理器周辺環境が見栄えに優れる。それによって、安定性や見栄えに優れ、異なる調理器にも使用できる汎用性の高い調理器用ガードを提供できる。また、専用の調理器用ガードを持たない調理器であっても、調理器の周囲に飛散する煮汁や油等の異物による汚れや耐火性能の向上に有効に対処することができる。
【００１８】
また、調理器用ガードの下端部を調理台の穴の周縁と調理器との間に挟み込んで保持することにより、調理器用ガードを取り付ける専用の取付機構を調理器に設けなくても、調理器用ガードを確実に固定できる。このため、調理器用ガードを確実に安定させることができ、且つ調理器周辺環境が見栄えに優れる。
【００１９】
また、調理器用ガードの第１被挟持部を調理台の穴の周囲の上端面と調理器の鍔状部との間に挟み込みで押さえることにより、調理器用ガードを取り付ける専用の取付機構を調理器に設けなくても、調理器用ガードを確実に固定できる。このため、調理器用ガードを確実に安定させることができ、且つ調理器周辺環境が見栄えに優れる。
【００２０】
請求項２に記載の発明によれば、調理器用ガードの第１被挟持部を調理台の穴の周囲の上端面と調理器の鍔状部との間に挟み込みで押さえ、調理器用ガードの第２被挟持部を調理台の穴の周囲の側壁面と調理器の被嵌込み部との間に挟み込んで保持することにより、調理器用ガードを取り付ける専用の取付機構を調理器に設けなくても、調理器用ガードを確実に固定できる。このため、調理器用ガードを確実に安定させることができ、且つ調理器周辺環境が見栄えに優れる。
【００２１】
請求項３に記載の発明によれば、調理器用ガードの第１被挟持部に突条部を設けることにより、調理台の穴内に調理の際に発生する煮汁や油等の異物の侵入を防止できるので、調理台の内部が汚れることを防止できる。
請求項４に記載の発明によれば、調理器用ガードの第１被挟持部に樋状部を設けることにより、調理台の穴内に調理の際に発生する煮汁や油等の異物の侵入を防止できるので、調理台の内部が汚れることを防止できる。
【００２２】
請求項５に記載の発明によれば、調理器にねじ、ボルトまたはナット等の締付け具を用いて調理器用ガードを締め付け固定することにより、より強固に調理器用ガードを調理器に固定できるので、調理器用ガードの安定性を向上させることができる。
請求項６に記載の発明によれば、調理器に形成された穴部、凹部、爪部または凸部等の係合部に、調理器用ガードに形成された被係合部を係合することにより、より強固に調理器用ガードを調理器に固定できるので、調理器用ガードの安定性を向上させることができる。
【００２３】
請求項７に記載の発明によれば、調理器用ガードを調理器用サイドガードに利用することにより、調理器の側方を覆うことができるので、調理器の側方の調理台に調理の際に発生する煮汁や油等の異物の飛び散りを防止できる。あるいは、調理器用ガードを調理器用バックガードに利用することにより、調理器の後方を覆うことができるので、調理器の後方の調理台に調理の際に発生する煮汁や油等の異物の飛び散りを防止できる。
【００２４】
【発明の実施の形態】
〔第１実施例の構成〕
図１ないし図８はこの発明をシステムキッチンに組み込まれるサイドガードおよびバックガードを固定する調理器用ガード固定方法、および調理器用ガード固定装置に適用した第１実施例を示したもので、図１は調理器用ガード固定装置の主要部構造を示した図で、図２および図３は調理器用ガード固定装置を示した図で、図４はシステムキッチンにサイドガードとバックガードを組み付ける状態を示した図である。
【００２５】
調理器用ガード固定装置１は、システムキッチン２のカウンタートップ（ワークトップ）３に開けられた穴４内に嵌め込まれる組立てコンロ５の側方と台所の側面壁６とを区画するサイドガード７、および組立てコンロ５の後方と台所の後面壁８とを区画するバックガード９を固定する調理器用サイドガード固定装置、調理器用バックガード固定装置である。
【００２６】
先ず、カウンタートップ３を図１ないし図４に基づいて簡単に説明する。このカウンタートップ３は、本発明の調理台であって、穴４の周囲の上端面にサイドガード７およびバックガード９を係止する上端側係止部１１、および穴４の周囲の側壁面にサイドガード７およびバックガード９を係止する側方側係止部１２を有するカウンタートップである。また、カウンタートップ３の前面には、すなわち、システムキッチン２の前面には、ウォールキャビネットやベースキャビネット等の前壁１３が取り付けられている。穴４は、本発明の被嵌合部であって、使用者の好みに合わせて略方形状に開けられている。なお、穴４の大きさは、例えば縦寸法が３５０ｍｍで、横寸法が６７０ｍｍで、深さが３０ｍｍである。
【００２７】
次に、組立てコンロ５を図１ないし図４に基づいて簡単に説明する。この組立てコンロ５は、本発明の調理器であって、２個のコンロバーナ１４等を有するコンロ本体１５と、このコンロ本体１５の上側に組み付けられたトッププレート１６とを備えている。コンロ本体１５は、複数の金属板により構成され、内部に２個のコンロバーナ１４およびガス漏れ等を防止するための安全装置（図示せず）を収容する調理器本体である。コンロ本体１５の前面には、２個のコンロバーナ１４の点火、火力調整、消火を手動操作するための２個の操作ボタン１７が取り付けられている。
【００２８】
また、コンロ本体１５は、図示されない底壁部、この底壁部の周囲より上下方向に立設された被嵌込み部としての筒または枠形状の立壁部（上部枠）１８、およびこの立壁部１８の上端より略直交する方向にプレス成形等により折り曲げられた鍔状の横壁部（以下フランジ部と呼ぶ）１９等より構成された調理器本体である。
【００２９】
立壁部１８は、複数箇所でカウンタートップ３の穴４の周縁に止めねじ等の締付け具を用いて固定される。底壁部の上側面には、図示しない施工取っ手が溶接手段を用いて取り付けられている。フランジ部１９は、本発明の鍔状部であって、略Ｌ字形状の板ばね２０の基板部分を複数箇所にねじ２１やナット２２等の締結具を用いて締め付け固定している。これらの板ばね２０は、押圧部分２３が凸状となるように一体成形され、サイドガード７およびバックガード９をカウンタートップ３の側方側係止部１２側に押圧する押圧手段である。
【００３０】
トッププレート１６は、１枚の金属板により一体成形され、ガスコンロや電気コンロ等の２個のコンロバーナ１４にそれぞれ置かれる２個の五徳２５を有している。そして、トッププレート１６は、コンロ本体１５のフランジ部１９の外側端との間に上部枠パッキン２６を装着している。
【００３１】
この上部枠パッキン２６は、煮汁や油等の異物がカウンタートップ３に開けられた穴４内に侵入することを防止する弾性シール材である。なお、上部枠パッキン２６は、フランジ部１９やトッププレート１６の下端よりも下方に突出しているために、組立てコンロ５の位置が不安定となることを防止するためにフランジ部１９の下方に金属片２７を溶接等の手段により取り付けている。
【００３２】
次に、サイドガード７を図２ないし図４に基づいて簡単に説明する。このサイドガード７は、本発明の調理器用ガードであって、例えば高さ３００ｍｍ、幅４２０ｍｍ、板厚０．５ｍｍのアルミニウム合金等の金属板をプレス成形等により所定の形状となるように一体成形した保護板である。なお、サイドガード７の材質として耐熱合金、耐熱樹脂またはセラミックスを用いても良い。
【００３３】
サイドガード７は、サイドガード部３１、このサイドガード部３１の下端部より水平方向の穴４側に延長された棚壁部３２、およびこの棚壁部３２の先端部より垂下された垂れ壁部３３等から構成されている。サイドガード部３１は、組立てコンロ５の両側方と台所の側面壁６とを区画して汚れや耐火性能の向上に対処する立壁部、上下方向壁部であって、組立てコンロ５のトッププレート１６の上端面よりも所定の高さ（例えば３００ｍｍ）以上高い位置に先端部が位置するように形成されている。このサイドガード部３１の先端部には、その他の部分の面方向に対して所定の傾斜角度で傾斜した折曲片３４が設けられている。サイドガード７は、その折曲片３４の先端が台所の側面壁６に接触するように配置される。
【００３４】
棚壁部３２は、本発明の第１被挟持部であって、組立てコンロ５のコンロ本体１５のフランジ部１９の短辺側に設けられた上部枠パッキン２６および金属片２７の下端とカウンタートップ３の穴４の短辺側の周囲に設けられた上端側係止部１１の上端面との間に挟み込まれて保持される水平方向壁部である。なお、棚壁部３２のサイドガード部３１の幅よりも段階的に短く形成された短辺部分（例えば幅が３００ｍｍ）には、その他の短辺部分よりも所定の寸法（例えば３．０ｍｍ）だけ高い突条部３５が形成されている。
【００３５】
この突条部３５は、煮汁や油等の異物がカウンタートップ３に開けられた穴４内に侵入することを防止する異物侵入防止壁（異物侵入防止手段）であり、断面形状が略半円弧形状に形成されている。また、この実施例では、突条部３５を棚壁部３２の短辺部分に部分的に設けられているが、棚壁部３２の短辺部分の幅方向全体に渡って設けられていても良い。
【００３６】
垂れ壁部３３は、本発明の第２被挟持部であって、所定の寸法を有し、組立てコンロ５のコンロ本体１５に設けられた板ばね２０の押圧部分２３とカウンタートップ３の穴４の短辺側の周囲に設けられた側方側係止部１２の側壁面との間に挟み込まれて保持される上下方向壁部である。
【００３７】
次に、バックガード９を図１ないし図６に基づいて簡単に説明する。ここで、図５および図６はバックガード９の成形形状を示した図である。このバックガード９は、本発明の調理器用ガードであって、例えば高さ３００ｍｍ、幅８００ｍｍ、板厚０．５ｍｍのサイドガード７と同様な手法で所定の形状となるように一体成形した保護板である。
【００３８】
バックガード９は、サイドガード７と同様に、バックガード部４１、棚壁部４２および垂れ壁部４３等から構成されている。バックガード部４１は、組立てコンロ５の両側方と台所の後面壁８とを区画して汚れや耐火性能の向上に対処する立壁部、上下方向壁部であって、組立てコンロ５のトッププレート１６の上端面よりも所定の高さ（例えば３００ｍｍ）以上高い位置に先端部が位置するように形成されている。このバックガード部４１の先端部には、その他の部分の面方向に対して所定の傾斜角度で傾斜した折曲片４４が設けられている。バックガード９は、その折曲片４４の先端が台所の後面壁８に接触するように配置される。
【００３９】
棚壁部４２は、本発明の第１被挟持部であって、組立てコンロ５のコンロ本体１５のフランジ部１９の長辺側に設けられた上部枠パッキン２６および金属片２７の下端とカウンタートップ３の穴４の長辺側の周囲に設けられた上端側係止部１１の上端面との間に挟み込まれて保持される水平方向壁部である。なお、棚壁部４２のバックガード部４１の幅よりも段階的に短く形成された短辺部分（例えば幅が６５０ｍｍ）には、その他の短辺部分よりも所定の寸法（例えば３．０ｍｍ）だけ高い突条部４５が形成されている。
【００４０】
この突条部４５は、突条部３５と同様な作用を有する異物侵入防止壁（異物侵入防止手段）であり、断面形状が略半円弧形状に形成されている。また、この実施例では、突条部４５を棚壁部４２の短辺部分に部分的に設けられているが、棚壁部４２の短辺部分の幅方向全体に渡って設けられていても良い。
【００４１】
垂れ壁部４３は、本発明の第２被挟持部であって、所定の寸法を有し、組立てコンロ５のコンロ本体１５に設けられた板ばね２０の押圧部分２３とカウンタートップ３の穴４の長辺側の周囲に設けられた側方側係止部１２の側壁面との間に挟み込まれて保持される上下方向壁部である。
【００４２】
〔第１実施例の取付方法〕
次に、この実施例の調理器用ガード固定装置１の取付方法を図１ないし図８に基づいて簡単に説明する。ここで、図７および図８はサイドガード７およびバックガード９の固定方法を示した図である。
【００４３】
サイドガード７およびバックガード９を後付けする場合には、図８に示したように、システムキッチン２のカウンタートップ３に開けられた穴４内に予め嵌め込まれた組立てコンロ５を持ち上げる。なお、組立てコンロ５をシステムキッチン２に設置すると同時にサイドガード７およびバックガード９を取り付ける場合にはこの作業は不要である。
【００４４】
そして、図４に示したように、サイドガード７の垂れ壁部３３およびバックガード９の垂れ壁部４３を穴４内に入れた後に、図８に示したように、組立てコンロ５を穴４内に入れる。このときトッププレート１６をコンロ本体１５から取り外しておいて施工取っ手を持ってコンロ本体１５のみを穴４内に入れても良い。
【００４５】
すると、サイドガード７の棚壁部３２が、組立てコンロ５のコンロ本体１５のフランジ部１９の短辺側に設けられた上部枠パッキン２６および金属片２７の下端とカウンタートップ３の穴４の短辺側の周囲に設けられた上端側係止部１１の上端面との間に挟み込まれて確実に固定される。さらに、サイドガード７の垂れ壁部３３が、組立てコンロ５のコンロ本体１５に設けられた板ばね２０の押圧部分２３とカウンタートップ３の穴４の短辺側の周囲に設けられた側方側係止部１２の側壁面との間に挟み込まれて確実に固定される。
【００４６】
そして、バックガード９の棚壁部４２が、図１に示したように、組立てコンロ５のコンロ本体１５のフランジ部１９の長辺側に設けられた上部枠パッキン２６および金属片２７の下端とカウンタートップ３の穴４の長辺側の周囲に設けられた上端側係止部１１の上端面との間に挟み込まれて確実に固定される。さらに、バックガード９の垂れ壁部４３が、図１に示したように、組立てコンロ５のコンロ本体１５に設けられた板ばね２０の押圧部分２３とカウンタートップ３の穴４の長辺側の周囲に設けられた側方側係止部１２の側壁面との間に挟み込まれて確実に固定される。
【００４７】
〔第１実施例の作用〕
次に、この実施例の調理器用ガード固定装置１の作用を図１ないし図３に基づいて簡単に説明する。
【００４８】
この組立てコンロ５のコンロバーナ１４で調理を行ったときに、鍋やフライパン等の調理容器から煮汁や油等の液体状異物が飛び散ると、サイドガード７のサイドガード部３１またはバックガード９のバックガード部４１に液体状異物が一旦付着して下方に流れ落ちる。そして、サイドガード７の棚壁部３２やバックガード９の棚壁部４２の上面に到達した液体状異物が穴４側に流れようとすると、組立てコンロ５の上部枠パッキン２６に阻止されてその中への侵入が妨げられる。
【００４９】
そして、仮に上部枠パッキン２６を越えて穴４側に液状異物が侵入した場合でも、サイドガード７の棚壁部３２やバックガード９の棚壁部４２に一体成形された突条部３５、４５に阻止されてその中への侵入が妨げられる。したがって、組立てコンロ５とサイドガード７やバックガード９との間を通って煮汁や油等の液体状異物がカウンタートップ３の穴４内に侵入することを防止できる。
【００５０】
〔第１実施例の効果〕
以上のように、調理器用ガード固定装置１は、組立てコンロ５をカウンタートップ３の穴４に設置する時に、あるいは組立てコンロ５を設置した後に後付けでサイドガード７やバックガード９を取り付ける時に、組立てコンロ５のコンロ本体１５とカウンタートップ３との間に２個のサイドガード７と１個のバックガード９を挟み込んで保持することにより、サイドガード７やバックガード９を取り付ける専用の取付機構を組立てコンロ５に設けなくても、サイドガード７やバックガード９をより強固に固定できるので、サイドガード７やバックガード９の安定性を向上させることができ、且つ見栄えに優れる。
【００５１】
また、カウンタートップ３の穴４内に嵌め込むことが可能な組立てコンロであれば、立壁部１８の上下方向寸法またはフランジ部１９の水平方向寸法が異なる種類の組立てコンロであっても、サイドガード７やバックガード９をより強固に固定できる。このため、異なる種類の組立てコンロにも使用できる汎用性の高いサイドガード７やバックガード９を提供できるので、コストを低減することができる。そして、このような安価なサイドガード７やバックガード９を備えた組立てコンロ５の製品コストを低減することができる。さらに、専用の調理器用ガードを持たない組立てコンロ５であっても、組立てコンロ５の周囲に飛散する煮汁や油等の異物による、台所の側面壁６や後面壁８の汚れや耐火性能の向上に有効に対処することができる。
【００５２】
さらに、この実施例では、サイドガード７のサイドガード部３１と台所の側面壁６との間、およびバックガード９のバックガード部４１と台所の後面壁８との間に所定の隙間が形成されるように、サイドガード部３１、バックガード部４１と側面壁６、後面壁８とを離してサイドガード７、バックガード９を設置している。これにより、調理時にサイドガード７やバックガード９が加熱されて側面壁６や後面壁８が過熱されることを防止できるので、台所の耐火性能の向上に優れる。
【００５３】
〔第２実施例〕
図９はこの発明をシステムキッチンに組み込まれるサイドガードおよびバックガードを固定する調理器用ガード固定方法、および調理器用ガード固定装置に適用した第２実施例を示したもので、調理器用ガード固定装置の主要部構造を示した図である。
【００５４】
この実施例では、サイドガード７またはバックガード９の棚壁部３２、４２の短辺部分に突条部３５、４５を並列に２個設けて、それらの間に樋状部５１を設けている。この樋状部５１は、煮汁や油等の異物がカウンタートップ３に開けられた穴４内に侵入することを防止する異物侵入防止溝（異物侵入防止手段）であり、略半円弧形状に形成されている。これにより、この実施例においても第１実施例と同様な作用、効果を備える。
【００５５】
なお、この実施例では、樋状部５１を棚壁部３２、４２の短辺部分に部分的に設けられているが、棚壁部３２、４２の短辺部分の幅方向全体に渡って設けられていても良い。また、樋状部５１は、他の短辺部分よりも低い位置となるように形成しても良い。さらに、２列の突条部３５、４５のうちの外側（サイドガード部３１、バックガード部４１側）の列の突条部３５、４５を部分的に設けても良い。
【００５６】
〔第３実施例〕
図１０はこの発明をシステムキッチンに組み込まれるサイドガードおよびバックガードを固定する調理器用ガード固定方法、および調理器用ガード固定装置に適用した第３実施例を示したもので、調理器用ガード固定装置の主要部構造を示した図である。
【００５７】
この実施例では、組立てコンロ５のコンロ本体１５とカウンタートップ３との間に２個のサイドガード７と１個のバックガード９を挟み込んで保持すると同時に、サイドガード７およびバックガード９の棚壁部３２、４２とコンロ本体１５のフランジ部１９とを取付ねじ５２や、この取付ねじ５２とフランジ部１９の大径穴５４との穴合わせのできる盲蓋５３等の締付け具を用いて締付け固定することにより位置決めしている。これにより、第１、第２実施例と比較して、より強固にサイドガード７およびバックガード９を組立てコンロ５のコンロ本体１５とカウンタートップ３との間に固定できるので、サイドガード７およびバックガード９の安定性を向上させることができる。
【００５８】
なお、取付ねじ５２の代わりに、ボルトやナット等の締付け具を用いて締付け固定しても良い。また、コンロ本体１５の立壁部１８とサイドガード７およびバックガード９の垂れ壁部３３、４３とを締付け具を用いて締付け固定することによりサイドガード７およびバックガード９を位置決めしても良い。
【００５９】
〔第４実施例〕
図１１はこの発明をシステムキッチンに組み込まれるサイドガードおよびバックガードを固定する調理器用ガード固定方法、および調理器用ガード固定装置に適用した第４実施例を示したもので、調理器用ガード固定装置の主要部構造を示した図である。
【００６０】
この実施例では、組立てコンロ５のコンロ本体１５とカウンタートップ３との間に２個のサイドガード７と１個のバックガード９を挟み込んで保持すると同時に、コンロ本体１５のフランジ部１９に形成された係合部としての凹状部５５とサイドガード７およびバックガード９の棚壁部３２、４２に形成された被係合部としての凸状部５６とを係合することにより位置決めしている。その凹状部５５や凸状部５６は、幅方向の全体または部分的に設けられていても良い。これにより、第１、第２実施例と比較して、より強固にサイドガード７およびバックガード９を組立てコンロ５のコンロ本体１５とカウンタートップ３との間に固定できるので、サイドガード７およびバックガード９の安定性を向上させることができる。
【００６１】
なお、凹状部５５の代わりに溝部、穴部、凸部または爪部等の係合部を利用しても良く、凸状部５６の代わりに凹部、溝部、穴部または爪部等の被係合部を利用しても良い。また、コンロ本体１５の立壁部１８に形成された係合部とサイドガード７およびバックガード９の垂れ壁部３３、４３に形成された被係合部とを係合することにより位置決めしてサイドガード７およびバックガード９を固定しても良い。
【００６２】
〔変形例〕
この実施例では、２個のサイドガード７と１個のバックガード９とを別体で設けたが、サイドガードとバックガードとを一体成形しても良い。
この実施例では、サイドガード７およびバックガード９に棚壁部３２、４２および垂れ壁部３３、４３を一体成形したが、サイドガード７およびバックガード９に棚壁部３２、４２のみが形成されていれば良い。
【００６３】
この実施例では、サイドガード７やバックガード９の垂れ壁部３３、４３を板ばね２０で側方側係止部１２側に押圧するように固定したが、サイドガード７やバックガード９の垂れ壁部３３、４３をコンロ本体１５の立壁部１８の外側面と側方側係止部１２の側壁面との間に挟み込むようにして固定しても良い。
【図面の簡単な説明】
【図１】調理器用ガード固定装置の主要部構造を示した断面図である（第１実施例）。
【図２】調理器用ガード固定装置を示した平面図である（第１実施例）。
【図３】調理器用ガード固定装置を示した正面図である（第１実施例）。
【図４】システムキッチンにサイドガードとバックガードを組み付ける状態を示した斜視図である（第１実施例）。
【図５】（Ａ）はバックガードの成形形状を示した正面図で、（Ｂ）はバックガードの成形形状を示した側面図である（第１実施例）。
【図６】バックガードの成形形状を示した平面図である（第１実施例）。
【図７】サイドガードとバックガードの固定方法を示した断面図である（第１実施例）。
【図８】サイドガードとバックガードの固定方法を示した断面図である（第１実施例）。
【図９】調理器用ガード固定装置の主要部構造を示した断面図である（第２実施例）。
【図１０】調理器用ガード固定装置の主要部構造を示した断面図である（第３実施例）。
【図１１】調理器用ガード固定装置の主要部構造を示した断面図である（第４実施例）。
【符号の説明】
１  調理器用ガード固定装置
２  システムキッチン
３  カウンタートップ（調理台）
４  穴（被嵌合部）
５  組立てコンロ（調理器）
７  サイドガード（調理器用ガード）
９  バックガード（調理器用ガード）
１８  立壁部（被嵌込み部）
１９  フランジ部（鍔状部）
２０  板ばね
３１  サイドガード部
３２  棚壁部（第１被挟持部）
３３  垂れ壁部（第２被挟持部）
３５  突条部
４１  サイドガード部
４２  棚壁部（第１被挟持部）
４３  垂れ壁部（第２被挟持部）
４５  突条部
５１  樋状部
５２  取付ねじ（締付け具）
５３  取付金具（締付け具）
５５  凹状部（係合部）
５６  凸状部（被係合部）
【図１】
0003694561.tif 000002
【図２】
0003694561.tif 000003
【図３】
0003694561.tif 000004
【図４】
0003694561.tif 000005
【図５】
0003694561.tif 000006
【図６】
0003694561.tif 000007
【図７】
0003694561.tif 000008
【図８】
0003694561.tif 000009
【図９】
0003694561.tif 000010
【図１０】
0003694561.tif 000011
【図１１】
0003694561.tif 000012